(57)【要約】【課題】メダル受け皿からメダル収容箱へのメダルの移し替えをより容易に行うことができる遊技機を提供する。【解決手段】開口部６３１をメダル受け皿６３の上縁部からほぼ底部６３ａまでの範囲を開口するように形成し、開口部６３１の側断面形状に応じて開閉扉６３２が開閉移動し、かつ開閉移動に応じてメダル受け皿６３内に挿抜されるように開閉扉６３２を折曲可能に形成する。さらに、開閉扉６３２が不用意に下降することがないように所定の付勢力を有するコイルスプリング６３５によって開閉扉６３２を全閉位置に向かって常時付勢させると共に、開閉扉６３２をほぼ全開の位置で固定するためのオルタネイト動作部６３６をメダル受け皿６３と開閉扉６３２との間に設けるようにする。【選択図】図３
2009112690.tif 000002
【特許請求の範囲】
【請求項１】
メダル受け皿からメダル収容箱への遊技メダルの移し替えを行うように前記メダル受け皿に設けられたメダル排出用の開口部を開閉する開閉扉を備えた遊技機において、
前記開口部を前記メダル受け皿の上縁部からほぼ底部までの範囲を開口するように形成し、前記開口部の側断面形状に応じて前記開閉扉が開閉移動し、かつ開閉移動に応じて前記メダル受け皿内に挿抜されるように前記開閉扉を折曲可能に形成し、前記開閉扉を所定の付勢力を有する付勢手段によって全閉位置に向かって常時付勢させると共に、前記開閉扉をほぼ全開の位置で固定するための動作部を前記メダル受け皿と前記開閉扉との間に設けたことを特徴とする遊技機。
【発明の詳細な説明】
【技術分野】
【０００１】
この発明は、例えばスロットマシン等の遊技機に関し、特に、メダル受け皿からメダル収容箱（いわゆるドル箱）への遊技メダルの移し替えを行う開閉扉を備えた遊技機に関する。
【背景技術】
【０００２】
例えば、遊技者の操作に従って、図柄の描かれた複数個の回胴リールを回転及び停止させ、揃った図柄の配列に応じて遊技メダル（以下、メダルという）の払い出し等を行うスロットマシンにあっては、遊技中（例えばビックボーナスに連続して当たった場合等）にメダル受け皿から溢れそうになったメダルや、遊技終了時にメダル受け皿に溜まったメダルをメダル収容箱へ移し替える必要があった。
従来、メダルの移し替えは、片方の手で保持したメダル収容箱をメダル受け皿に横付けしながら、もう片方の手でメダル受け皿のメダルをメダル収容箱に移し替えていたので、時間がかかったり、床にメダルを落としてしまうことがあった。
そこで、メダル受け皿に、メダル収容箱を係止させることができるメダル排出用の開閉扉を備えることによって、メダルの移し替えの容易化を図ったスロットマシンが提案されている（例えば、特許文献１参照）。
【０００３】
すなわち、特許文献１に開示されているスロットマシン(10)にあっては、図６に示されるように、メダル受け皿(31)の前板(37)にメダル排出用の排出部(38)を切り欠き形成すると共に、排出部(38)を上下方向に開閉する開閉板(39)に、この開閉板(39)を常時上向きに付勢する板ばね(40)と、メダル収容箱(D)の縁部を開閉板(39)に係止させる突片(41)と、を備え、突片(41)にメダル収容箱(D)を保持させると、メダル受け皿(31)の自重により開閉板(39)が下降してメダル排出路が現れるようにしたことによって、両手でのメダルの移し替えを可能にしている。
【０００４】
【特許文献１】特開２００５−２１１１５６号公報（図２〜図４）
【発明の開示】
【発明が解決しようとする課題】
【０００５】
ところで、上述したスロットマシン(10)に設けられている開閉板(39)にあっては、空のメダル収容箱(D)を突片(41)に係止させただけでも下降してメダル排出路が現れるようになっている。そのため、遊技者が、開閉板(39)を下げる意志がなくても、うっかりと開閉板(39)を下げてしまい、そこからメダルを床に落としてしまう虞がある。
また、空の状態にちかいメダル収容箱(D)は軽いので、開閉板(39)を全開にしておくには、メダル収容箱(D)に下向きの力をかけておく必要がある。
さらには、突片(41)に遊技者の身体があたり、遊技の邪魔になる虞がある。
さらにまた、排出部(38)の下方には、開閉板(39)の下部をなす進入片(53)を受け入れる受け入れ溝(51)が形成されている。このため、開閉板(39)の開閉範囲が狭く、メダル収容箱(D)の取付位置がメダル受け皿(31)の底部よりも高いので、メダル受け皿(31)の底部に溜まったメダルは上方のメダル収容箱(D)に向かって掻き出さなければならなかった。
【０００６】
そこで、この発明は、メダル受け皿からメダル収容箱へのメダルの移し替えをより容易に行うことができる遊技機を提供することを目的とする。
【課題を解決するための手段】
【０００７】
上記目的を達成するため請求項１に記載の発明は、メダル受け皿からメダル収容箱への遊技メダルの移し替えを行うように前記メダル受け皿に設けられたメダル排出用の開口部を開閉する開閉扉を備えた遊技機において、
前記開口部を前記メダル受け皿の上縁部からほぼ底部までの範囲を開口するように形成し、前記開口部の側断面形状に応じて前記開閉扉が開閉移動し、かつ開閉移動に応じて前記メダル受け皿内に挿抜されるように前記開閉扉を折曲可能に形成し、前記開閉扉を所定の付勢力を有する付勢手段によって全閉位置に向かって常時付勢させると共に、前記開閉扉をほぼ全開の位置で固定するための動作部を前記メダル受け皿と前記開閉扉との間に設けたことを特徴とする。
【０００８】
請求項１に記載の遊技機によれば、開口部を閉ざしている開閉扉を一番下まで押し込むと、メダル受け皿の上縁部から底部にいたる開口部、つまりメダル排出路が現れるうえに、動作部によって、開閉扉を押さえなくても開閉扉は全開状態を保持するようになっている。再度、開閉扉を一番下まで押し込むと、開閉扉が開口部を閉ざしていた元の状態に復帰するようになっている。これにより、メダル受け皿からメダル収容箱へのメダルの移し替えを容易に行うことができるようになる。また、メダル受け皿の底部上に溜まったメダルを上方に向かって掻き出す必要はなくなる。
また、この開閉扉は、不用意に下降することがないように所定の付勢力を有する付勢手段によって全閉位置に向かって常時付勢されているので、遊技者がメダルの移し替えを意図しないときにメダル排出路が現れることはない。
【発明の効果】
【０００９】
本発明の遊技機によれば、開閉扉を一番下まで下げると、メダル受け皿の上縁部から底部にいたるメダル排出路が現れるようにし、さらに、開閉扉を押さえなくても開閉扉が全開状態を保持するための動作部を設けた。これにより、メダル受け皿からメダル収容箱へのメダルの移し替えを容易に行うことが可能な遊技機が実現する。
【発明を実施するための最良の形態】
【００１０】
以下、本発明の好適な一実施形態を、スロットマシン（パチスロ機）を例に図面を参照して説明する。図１は、スロットマシンの正面図、図２は、前扉を開放した状態におけるスロットマシンの内部構造を示した図である。なお、「左」、「右」は、遊技者から見た方向に従うものとする。
【００１１】
まず、スロットマシンの構成について説明する。図１，２に示されるように、スロットマシン１は、前面が開放した矩形状箱体の筐体（所謂キャビネット、図２に図示）２と、この筐体２にスライドヒンジ３，３を介して開閉可能に取り付けられた右開き（左ヒンジ）の前扉（所謂フロントマスク）４と、を備えている。
【００１２】
筐体２は、図２に示されるように、いずれも木製の上板部２ａ、左右側板部２ｂ，２ｃ、底板部２ｄ、背板部２ｅを備えている。
筐体２内の背板部２ｅの上部には、スロットマシン１の主要動作を集中制御するＣＰＵ（マイコン）、ＲＯＭ、ＲＡＭなどの電子部品を搭載した主制御基板２０が、透明な合成樹脂製の基板ケース２１内に内部封止された状態で取り付けられている。
【００１３】
また、筐体２内の右側板部２ｃの上部には、スロットマシン１からホールコンピュータ（図示せず）に向かって所定の情報データ（例えば、大当たり、払い戻し数等）を出力するための外部出力端子を備えた外部集中端子基板２２が取り付けられている。
【００１４】
筐体２内の中央には、回胴リール１０１ａ，１０１ｂ，１０１ｃを備えた可変表示装置を構成するリールユニット１００が配設されている。このリールユニット１００は、左右側板部２ｂ，２ｃ、背板部２ｅによって支持された金属製のフレーム板部２ｆの上面に載置されているものであって、前扉４が筐体２側に閉じられると、前扉４のパネル面５０の表示窓５１に、複数種類の図柄や数字等による識別情報が描かれた回胴リール１０１ａ，１０１ｂ，１０１ｃが位置するようになっている。
【００１５】
回胴リール１０１ａ，１０１ｂ，１０１ｃは、リール毎に内蔵されたステッピングモータによって回転駆動されるものであって、リールユニット１００の上面には、ステッピングモータへ４相の駆動パルス信号を送出する回胴装置基板２３が取り付け固定されている。そして、主制御基板２０が回胴装置基板２３に回胴駆動（励磁）パルスデータを送出することで、回胴リールｌ０１ａ，１０１ｂ，１０１ｃの回転、制動及び停止の制御が行われるようになっている。
【００１６】
リールユニット１００の下方側、つまり筐体２内の底板部２ｄの上面中央には、筐体２内に投入された遊技メダル（以下、メダルという）を一時的に貯留し、必要に応じて払い出すメダル払出装置としてのホッパー装置２４が取り付けられている。このホッパー装置２４の右側には、このホッパー装置２４から溢れたメダルを収容するためのサブタンク２５が配設されていると共に、ホッパー装置２４の左側には、遊技島の電源コンセント（ＡＣ２４Ｖ）に接続された出力電源生成手段としての電源装置２６がアースされた状態で配設されている。
【００１７】
次に、前扉４の外部構成について説明する。
前扉４の前面側は、図１に示されるように、遊技者に面する「前面パネル部」として視覚効果を高めるようにデザインされた所謂化粧板として硬質プラスチックにより一体形成されているものであって、上部パネル部５、下部パネル部６、操作卓７にほぼ区分されるようになっている。
【００１８】
上部パネル部５の中央には、パネル面５０が設けられている。このパネル面５０のほぼ中央には、略矩形状の透明な表示窓５１が設けられており、遊技者は、この表示窓５１を通して、筐体２内に設けられたリールユニット１００の３個の回胴リール１０１ａ，１０１ｂ，１０１ｃを目視できるようになっている。
【００１９】
上部パネル部５の上部や左右側部には、レンズパネルの内部に蛍光灯や高輝度発光ダイオード等の光源を内蔵する照明手段としての照明演出装置５２、演出用照明部５３ａ〜５３ｈが配設されている。これら照明演出装置５２、演出用照明部５３ａ〜５３ｈは、ゲームの進行に応じて点灯或いは点滅することで、ゲームにおける視覚的な演出効果を高めるようになっている。また、照明手段としての照明演出装置５２は、スロットマシン１の遊技状態を報知する手段としても機能するようになっている。
【００２０】
照明演出装置５２の下方には、ゲームに係る効果音を発生するスピーカ４２ａ，４２ｂ（図２に図示）を内蔵した左右一対の演出用放音部５４ａ，５４ｂと、液晶表示演出装置５５とが配設されている。液晶表示演出装置５５は、透明な硬質プラスチック板等が嵌め込まれることによって形成されたスロットマシン１の演出装置であって、ゲームの演出に係る映像やゲーム（遊技）に関する情報を主に表示するようになっている。
【００２１】
下部パネル部６には、スロットマシン１のモデルタイプを遊技者へ認識させる等のため、登場キャラクターの意匠等を表示するパネル６１が設けられている。このパネル６１の下方には、入賞時にメダルを排出するメダル払出口６２、メダル払出口６２から払い出されたメダルを貯留するメダル受け皿６３、演出効果音を発生するスピーカ４９ａ，４９ｂ（図２に図示）を内蔵した演出用放音部６４ａ，６４ｂ等が配設されている。
なお、メダル受け皿６３の詳細については後述する。
【００２２】
また、パネル６１の左右両側には、レンズパネルの内部に高輝度発光ダイオード等の光源を内蔵する演出用照明部６６ａ，６６ｂが配設されている。これら演出用照明部６６ａ，６６ｂは、照明演出装置５２、演出用照明部５３ａ〜５３ｈと同様に、ゲームの進行に応じて点灯或いは点滅することで、ゲームにおける視覚的な演出効果を高めるようになっている。
【００２３】
操作卓７は、その上面側に、メダル投入部７１、ベットボタン７２，７３が配設されていると共に、前面側に、スタートレバー７４、ストップボタン７５ａ，７５ｂ，７５ｃ、精算ボタン７６、イジェクトボタン７７、鍵穴７８が配設されている。
【００２４】
メダル投入部７１には、ゲームに賭けるメダルを筐体２内に投入するためのメダル投入口が一体的に形成されている。
ベットボタン７２，７３は、スロットマシン１の１ゲームに賭けるメダルの枚数を提示するためのボタンスイッチである。すなわち、ゲームを開始する際に、ベットボタン７２を１回押圧操作すると、貯留されているメダルのなかから１枚のメダルがゲームに対して賭けられ、また、ベットボタン７３を１回押圧操作すると、３枚のメダルが当該ゲームに賭けられる。このため、ベットボタン７２は、「１ベットボタン」、ベットボタン７３は、最大枚数のメダルを賭けることができるので、「マックスベットボタン」と呼ばれている。
【００２５】
スタートレバー７４は、リール１０１ａ〜１０１ｃの回転開始を指示するためのレバースイッチである。
ストップボタン７５ａ，７５ｂ，７５ｃは、スタートレバー７４によって回転動しているリール１０１ａ，１０１ｂ，１０１ｃの回転停止をそれぞれ指示するためのボタンスイッチであって、各リールの配列に対応して並設されている。
精算ボタン７６は、ゲームに賭けたメダルの払い出しを指示すると共に、メダルクレジット手段（図示せず）が内部保留したメダルの払い出しを指示するためのボタンスイッチである。
【００２６】
イジェクトボタン７７は、メダル投入後に詰まったメダルを排出するボタンスイッチである。
鍵穴７８は、前扉４を開錠する際に用いられる鍵穴であって、この鍵穴７８に鍵を挿入して所定操作すると、前扉４を開くことができるようになっている。また、前扉４は、筐体２側に閉じると自動的に施錠されるようになっている。
【００２７】
次に、前扉４の裏面構造について説明する。
図２に示されるように、前扉４の裏面側上部、つまり、液晶表示演出装置５５の裏面側にあたる位置には、電気回路基板によって形成されたサブ制御基板４０が、透明な硬質合成樹脂製の基板ケース４１によって封止された状態で配設されている。このサブ制御基板４０は、液晶表示演出装置５５による演出映像の表示制御、照明演出装置５２及び演出用照明部５３ａ〜５３ｈ、６６ａ，６６ｂを用いた演出効果照明制御、演出用放音部５４ａ，５４ｂ，６４ａ，６４ｂを用いた演出効果音制御等、ゲームの演出に係る制御を主に行う。また、このサブ制御基板４０の左右側、つまり演出用放音部５４ａ，５４ｂの裏面側にあたる位置には、左右一対のスピーカ４２ａ，４２ｂが配設されている。
【００２８】
サブ制御基板４０の下方側、すなわち、パネル面５０の裏面側にあたる位置には、リールｌ０１ａ，１０１ｂ，１０１ｃの外周面を照射して図柄を明るく表示するための冷陰極蛍光ランプ４３と、冷陰極蛍光ランプ４３を駆動するインバータ４４と、透明な硬質合成樹脂製の中央制御基板カバー４５によって封止された中央制御基板４６とが、ユニット化された状態で取り付けられている。
【００２９】
操作卓７の裏面側の、メダル投入部７１の下方側にあたる位置には、メダル選別装置４７が配設されている。このメダル選別装置４７は、メダル投入部７１から投入されたメダルの適否を判別し振り分ける装置である。さらに、このメダル選別装置４７は、メダルセンサを内蔵しており、ゲームの待機状態等において正規のメダルが投入されてメダルセンサがこのメダルを検出すると、メダル投入の受け付けを示す信号を中央制御基板４６へ送出するようになっている。
【００３０】
また、メダル選別装置４７には、メダル選別装置４７の右側面から排出された正規のメダルを筐体２内に設けられたホッパー装置２４へ案内する紙面奥側から手前側に延びた平面視Ｊ字状のガイド部材４８ａと、メダル選別装置４７により排除されたメダル（或いは異物）を下方のメダル払出口６３へ案内するガイド部材４８ｂと、ホッパー装置２４から排出されたメダルをメダル払出口６３へ案内するガイド部材４８ｃとが連なっている。
また、前扉４の裏面側下部、つまり、演出用放音部６４ａ，６４ｂの裏目側にあたる位置には、左右一対のスピーカ４９ａ，４９ｂが配設されている。
【００３１】
次に、メダル受け皿６３について図３〜５を用いて詳細に説明する。
図３（ａ）は、同例における開閉扉によって開口部が閉じられた状態のメダル受け皿の斜視図、（ｂ）は、同例における開閉扉によって開口部が開かれた状態のメダル受け皿の斜視図、図４は、同例における開閉扉の構造を示した模式図、図５（ａ），（ｂ）は、オルタネイト動作部の動作を説明するための模式図である。
【００３２】
図３（ａ），（ｂ）に示されるように、メダル受け皿６３は、遊技者に臨む前面部６３ａに、メダル受け皿６３からメダル収容箱Ｄ（図６参照）へのメダルの移し替えを行うためのメダル排出用の開口部６３１と、この開口部６３１の上下方向に向かってスライド移動することによって開口部６３１を開閉する開閉扉６３２と、を備えている。
【００３３】
詳述すると、開口部６３１は、メダル受け皿６３の上縁部からほぼ底部６３ｂまでの範囲を開口するように上向きコ字状に切り欠き形成されている。また、この開口部６３１を左右側から臨むメダル受け皿６３には、開閉扉６３２の左右縁部を摺接可能に支持する垂直な左右一対のガイド溝６３１ａ，６３１ａが形成されている。さらに、メダル受け皿６３の底部６３ｂには、図３（ｂ），図４に示されるように、開閉扉６３２を平板状のまま収容可能とする中空状の収容部６３ｂ１が形成されていると共に、この収容部６３ｂ１の左右側部には、それぞれガイド溝６３１ａが延設されている。これにより、開閉扉６３２は、メダル受け皿６３の側断面形状に沿ってスライド移動すると共に、図３（ａ）に示されるように、メダル受け皿６３の底部６３ｂから引き出された状態にあっては開口部６３１を閉じ、また、図３（ｂ）に示されるように、メダル受け皿６３の底部６３ｂ内に収納された状態にあっては開口部６３１、すなわちメダル排出路が現れるようになっている。
なお、ガイド溝６３１ａ，６３１ａの上部は、図３（ｂ）に示されるように、開閉扉６３２のストッパーを兼ねたメダル受け皿の上面部６３ｃにより閉塞されている。
【００３４】
開閉扉６３２は、シャッター式スライド扉であって、その開閉移動に応じてメダル受け皿６３の底部６３ｂに収容されるように折曲可能に形成されている。具体的には、図４に示されるように、軟質性の合成樹脂により形成された表皮部６３２ａと、この表皮部６３２ａの背面側に所定間隔をあけて設けられ、左右側部が表皮部６３２ａと共にガイド溝６３１ａに摺接可能に挿嵌支持される側面視Ｔ字状の複数のガイド部材６３２ｂと、を備えている。
【００３５】
さらに、この開閉扉６３２の長手方向における両端部には、それぞれ係合部材６３３，６３４がそれぞれ挿着されている。収容部６３ｂ１と係合部材６３４との間には、付勢手段としてのコイルバネ（押しバネ）６３５が介設されており、うっかり触ったぐらいでは開閉扉６３２が下降しないように、所定の付勢力によって開閉扉６３２を閉じ方向に常時付勢するようになっている。
【００３６】
係合部材６３３は、遊技者が開閉扉６３２を開閉動作する際に用いられるものであって、この係合部材６３３の右側部には、開閉扉６３２をほぼ全開の位置で固定するための動作部としてのオルタネイト動作部６３６の一部をなす回転カム６３６ａが右側方に張り出された状態で回転可能に設けられている。この回転カム６３６ａの長手方向における両端部には切り欠き部６３６ａ１，６３６ａ１が形成されている。
また、この回転カム６３６ａの周囲面部が摺接する切り欠きフレーム部６３６ｂは、オルタネイト動作部６３６の他方をなすものであって、垂直なガイド溝６３１ａの右側方に隣接して設けられている。
【００３７】
切り欠きフレーム部６３６ｂは、図５（ａ），（ｂ）に示されるように、回転カム６３６ａが直立状態のまま摺接しながら上下移動する垂直面部６３６ｂ１と、直立状態の回転カム６３６ａが下降した際に回転カム６３６ａを図中時計回り方向に回転させる傾斜面部６３６ｂ２と、時計回り方向に回転して傾いた回転カム６３６ａの上方の切り欠き部６３６ａ１が係合すると共に、後述する第２の突起部６３６ｂ４によって時計回り方向に回転した回転カム６３６ａが直立状態となるようにさらに時計回り方向に回転させる第１の突起部６３６ｂ３と、第１の突起部６３６ｂ３に上方の切り欠き部６３６ａ１が係合した状態の回転カム６３６ａを下降させた際に、回転カム６３６ａの下側面に接合して回転カム６３６ａをさらに時計回り方向に回転させる第２の突起部６３６ｂ４と、を備えている。
【００３８】
オルタネイト動作部６３６の動作を説明すると、コイルバネ６３５により上方に向かって付勢されている係合部材６３３を一番低い底部６３ｂに向かって押し込むと、図５（ａ）に示されるように、直立状態にある回転カム６３６ａは、下降したのち傾斜面部６３６ｂ２によって図中時計回り方向に回転する。係合部材６３３の押し込みをやめると、回転カム６３６ａは傾斜した状態で上昇し、図５（ｂ）に示されるように、上方の切り欠き部６３６ａ１が第１の突起部６３６ｂ３に係合する。再度係合部材６３３を底部６３ｂに向かって押し込むと、第１の突起部６３６ｂ３から回転カム６３６ａの切り欠き部６３６ａ１が外れ、そのままの姿勢で下降し、第２の突起部６３６ｂ４と傾斜面部６３６ｂ２とにより図中時計回り方向に回転する。係合部材６３３の押し込みをやめると、回転カム６３６ａは上昇し、第１の突起部６３６ｂ３に摺接しながらさらに図中時計回り方向に回転し、直立状態に戻った状態で垂直面部６３６ｂ１に沿って上昇する。
【００３９】
以上説明したように本スロットマシン１によれば、開口部６３１を閉ざしている開閉扉６３２を一番下まで押し込むと、メダル受け皿６３の上縁部から底部６３ｂにいたる開口部６３１、つまりメダル排出路が現れるうえに、オルタネイト動作部６３６によって、開閉扉６３２を押さえなくても開閉扉６３２は全開状態を保持するようになっている。再度、開閉扉６３２を一番下まで押し込むと、開閉扉６３２が開口部６３１を閉ざしていた元の状態に復帰するようになっている。これにより、メダル受け皿６３からメダル収容箱Ｄへのメダルの移し替えを容易に行うことができるようになる。また、メダル受け皿６３の底部６３ｂ上に溜まったメダルを上方に向かって掻き出す必要はなくなる。
また、この開閉扉６３２は、不用意に下降することがないように所定の付勢力を有するコイルバネ６３５によって全閉位置に向かって常時付勢されているので、遊技者がメダルの移し替えを意図しないときにメダル排出路が現れることはない。
【００４０】
なお、オルタネイト動作部６３６を係合部材６３３と垂直状のガイド溝６３１ａとの間に設けるようにしたが、これに限定されるものではなく、係合部材６３４と水平状のガイド溝６３１ａとの間に設けるようにしてもよい。
また、オルタネイト動作部６３６は、回転カム式にのみ限定されるものではなく、例えば、ハート状カム式、ラチェットカム式を用いてもよい。
【図面の簡単な説明】
【００４１】
【図１】スロットマシンの正面図である。
【図２】前扉を開放した状態におけるスロットマシンの内部構造を示した正面図である。
【図３】（ａ）は、同例における開閉扉によって開口部が閉じられた状態のメダル受け皿の斜視図、（ｂ）は、同例における開閉扉によって開口部が開かれた状態のメダル受け皿の斜視図である。
【図４】同例における開閉扉の構造を示した模式図である。
【図５】（ａ），（ｂ）は、同例におけるオルタネイト動作部の動作を説明するための模式図である。
【図６】（ａ），（ｂ），（ｃ）は、従来の遊技機におけるメダルの移し替えを説明するための図である。
【符号の説明】
【００４２】
１…スロットマシン（遊技機）
６３…メダル受け皿
６３ａ…前面部
６３ｂ…底部
６３ｂ１…収容部
６３ｃ…上面部
６３１…開口部
６３１ａ…ガイド溝
６３２…開閉扉
６３５…コイルスプリング（付勢手段）
６３６…オルタネイト動作部（動作部）
６３６ａ…回転カム
６３６ｂ…切り欠きフレーム部
【図１】
2009112690.tif 000003
【図２】
2009112690.tif 000004
【図３】
2009112690.tif 000005
【図４】
2009112690.tif 000006
【図５】
2009112690.tif 000007
【図６】
2009112690.tif 000008